(57)【要約】    【課題】  白色ＬＥＤ光源の色味のバラツキを良好に補正できる画像読取装置を得ること。    【解決手段】  青色光と、青色光により励起した黄色光とを発する白色ＬＥＤ光源を用いて原稿台の上の被照射面を線状に照明する線状照明手段と、線状照明手段により照明された、原稿台の上に載置した被照射面の画像情報を結像する結像光学系と、結像光学系で結像した被照射面の画像情報を読み取る光電変換素子と、光電変換素子で得られた信号を補正するための補正データを色補正テーブルとして記憶する記憶手段と、光電変換素子で得られた信号を、記憶手段の色補正テーブルに記憶している補正データで補正してカラー画像データを得る画像形成手段と、白色基準板と、白色以外の色相を有する補助基準色板の、両基準板を該光電変換素子で読み取った信号を用いて、色補正テーブルの補正データを補正する補正手段と、を有すること。【選択図】    図１
2008263510.tif 000002
【特許請求の範囲】
【請求項１】
青色光と、該青色光により励起した黄色光とを発する白色ＬＥＤ光源を用いて原稿台の上の被照射面を線状に照明する線状照明手段と、
該線状照明手段により照明された、該原稿台の上に載置した該被照射面の画像情報を結像する結像光学系と、
該結像光学系で結像した該被照射面の画像情報を読み取る光電変換素子と、
該光電変換素子で得られた信号を補正するための補正データを色補正テーブルとして記憶する記憶手段と、
該光電変換素子で得られた信号を、該記憶手段の色補正テーブルに記憶している補正データで補正してカラー画像データを得る画像形成手段と、
白色基準板と、
白色以外の色相を有する補助基準色板の、両基準板を該光電変換素子で読み取った信号を用いて、該色補正テーブルの補正データを補正する補正手段と、を有することを特徴とする画像読取装置。
【請求項２】
前記線状照明手段は、前記白色ＬＥＤ光源を複数個と、これらの白色ＬＥＤ光源からの光のうち、異なる二つの方向から入射した光で前記被照射面を線状に照明するように光路を変換する光路変換部材と、を有することを特徴とする請求項１に記載の画像読取装置。
【請求項３】
前記補助基準色板は、前記被照射面の読取幅の中央を基準に左右対称に設置されていることを特徴とする請求項２に記載の画像読取装置。
【請求項４】
前記色補正テーブルは、マスキング係数を収めた行列もしくはダイレクトマッピングテーブルであることを特徴とする請求項１乃至３のいずれか１項に記載の画像読取装置。
【請求項５】
前記色補正テーブルの補正データは、読み取り方向の読み取り位置を変数とした関数を含んでいることを特徴とする請求項１乃至４のいずれか１項に記載の画像読取装置。
【請求項６】
青色光と、該青色光により励起した黄色光とを発する白色ＬＥＤ光源を用いて原稿台の上の被照射面を線状に照明する線状照明手段と、
該線状照明手段により照明された、該原稿台の上に載置した該被照射面の画像情報を結像する結像光学系と、
該結像光学系で結像した該被照射面の画像情報を読み取る光電変換素子と、
該光電変換素子で得られた信号を補正するための補正データを色補正テーブルとして記憶する記憶手段と、
該光電変換素子で得られた信号を、該記憶手段の色補正テーブルに記憶している補正データで補正してカラー画像データを得る画像形成手段と、
白色基準板と、
を有する画像読取装置において、
白色以外の色相を有する補助基準色チャートを設け、該白色基準板と、該補助基準色チャートを該光電変換素子で読み取った信号を用いて、補正手段で該色補正テーブルの補正データを補正することを特徴とする画像読取装置の調整方法。
【請求項７】
前記線状照明手段は、前記白色ＬＥＤ光源を複数個と、これらの白色ＬＥＤ光源からの光のうち、異なる二つの方向から入射した光で前記被照射面を線状に照明するように光路を変換する光路変換部材と、を有することを特徴とする請求項６に記載の画像読取装置の調整方法。
【請求項８】
前記補助基準色チャートは、副走査方向に複数の色相のパッチを有していることを特徴とする請求項７に記載の画像読取装置の調整方法。
【請求項９】
前記色補正テーブルは、マスキング係数を収めた行列もしくはダイレクトマッピングテーブルであることを特徴とする請求項６乃至８のいずれか１項に記載の画像読取装置の調整方法。
【請求項１０】
前記色補正テーブルの補正データは、読み取り方向の読み取り位置を変数とした関数を含んでいることを特徴とする請求項６乃至９のいずれか１項に記載の画像読取装置の調整方法。
【発明の詳細な説明】
【技術分野】
【０００１】
本発明は画像読取装置に関し、原稿面を照明して線順次方式でカラー画像の読取りを行うイメージスキャナーや複写機やファクシミリの画像読取装置に好適なものである。
【背景技術】
【０００２】
一般にイメージスキャナーや複写機やファクシミリなど、被走査面としての原稿面を照明して線順次方式で画像読取りを行う画像読取装置に用いられる原稿照明装置は、蛍光灯などの管状（線状）光源を用いて原稿面を照明している。
【０００３】
図１２は一般的なキャリッジ一体型走査方式の画像読取装置（フラットベッドスキャナー）の要部概略図である。図１３は図１２に示したキャリッジ一体型走査方式の読取光学系の要部概略図である。
【０００４】
図１２、図１３において管状光源（光源）１６から放射された照明光は直接原稿台（原稿台ガラス）１に載置した原稿１１を照明し、該原稿１１からの反射光束を複数の反射ミラー６を介してキャリッジ３内部でその光路を折り曲げている。そして折り曲げられた光束を結像レンズ（読取光学系）７により光電変換素子（ラインセンサー）８面上に結像させている。そしてキャリッジ３を駆動モーターにより図１３に示す矢印Ａ方向（副走査方向）に移動させることにより原稿１１の２次元画像情報を線順次読取方式で読み取っている。読取られた画像情報は図示しないインターフェイスを通じて外部機器であるパーソナルコンピューターなどに送られる。
【０００５】
尚、装置の制御や画像情報の処理などは図示しない装置により行われる。
【０００６】
図１４はその画像読取装置の動作を示すフローチャートである。
【０００７】
従来、一般的な画像読取装置では使用者が原稿台（原稿台ガラス）１上に読み取りたい原稿１１を置き、圧板２を閉じた後に、スタートボタン等を押すことで、画像読取装置の動作を指示する。そうすると、まず画像読取装置はキャリッジ３が白色基準板４の下に移動し、その白色基準板４に管状光源１６からの光を照射し、その反射光を光電変換素子８で読み取る。
【０００８】
白色基準板４は全面が均一濃度の白であるが、読み取られた光は全域で均一にはならない。それは管状光源１６の発光量が場所によって異なったり、光電変換素子８の感度にムラがあったりするからである。
【０００９】
そこで、読み取った画像が全面均一となるようにシェーディング補正値が算出される。続いて、原稿の画像を読み取り、シェーディング補正と既定の色味補正を行い、最終画像を作成し、読み取り動作が終了する。
【００１０】
図１５は従来の画像読取装置の一般的な回路構成の要点を示すブロック図である。図１５において、光電変換素子２１からの信号はアンプ２２で増幅され、Ａ／Ｄ変換部２３によりＡ／Ｄ変換され、シェーディング補正部２４に入力する。シェーディング補正部２４はシェーディング補正計算を実行するシェーディング補正実行部２６とその補正データを記憶するシェーディングデータ記憶部２５を具備する。そしてシェーディング補正部２４でシェーディング補正された信号は、その他の処理を行う画像処理部２７を経て外部Ｉ／Ｆ２８に入力する。
【００１１】
管状光源１６としては、蛍光管やキセノン管などが主に用いられている。蛍光管は熱陰極管のものと冷陰極管のものとがあるが、構成をシンプルにでき、かつ小型に向いている面から冷陰極管が主流となっている。キセノン管は光量の安定性が良いため、業務用機器として多用されているが、消費電力が比較的大きい。そのため家庭用機器の管状光源としては冷陰極管が多用されている。
【００１２】
しかしながら、冷陰極管は光量の安定性が悪く、水銀を含むなどの問題がある。そのため、光量安定性が良く、有害物質を含まない線状照明手段の開発が求められている。
【００１３】
昨今の技術開発の結果、ＬＥＤ（Light Emission Diode）の発光効率が向上し、該ＬＥＤを線状照明手段の光源として用いた画像読取装置が種々と提案されている（特許文献１参照）。
【００１４】
特許文献１では、少ないＬＥＤと導光体とを用い、小型の線状照明手段を得る方法が開示されている。
【００１５】
またＬＥＤの発光色の種類も増え、青色発光のＬＥＤの上に黄色の蛍光物質を塗布することにより白色光が得られる、白色ＬＥＤ（白色ＬＥＤ光源）も開発されている。ただし、この種の白色ＬＥＤは、青色と黄色の発光バランスが塗布工程の能力によって左右され、色味の固体バラツキが大きいという問題点がある。この問題点の解決を図った画像読取装置が従来より種々と提案されている（特許文献２参照）。
【００１６】
特許文献２では白色ＬＥＤの発光波長特性を管理することにより、画像読取装置としての色味バラツキをある程度抑制している。
【００１７】
これら特許文献１、２の技術を組み合わせることで、白色ＬＥＤによる線状照明手段を製作することができる。
【特許文献１】特許第２６９３０９８号明細書
【特許文献２】特開２０００−２６１６１４号公報
【発明の開示】
【発明が解決しようとする課題】
【００１８】
昨今の画像読取装置では色再現性の向上が望まれ、１つの画像読取領域内での均一性が重要視されている。そのため、前述のような従来技術の延長線では、白色ＬＥＤの発光波長特性を厳しく管理せねばならなくなる。
【００１９】
白色ＬＥＤの発光波長特性を厳しく管理するためには専用の測色装置を使用した選別工程が必要となる。また、選別の結果、特定の特性の白色ＬＥＤを必要数量得るためには余分な生産もせねばならず、さらには特定の特性を満たせなかった白色ＬＥＤを廃棄することも考えねばならない。
【００２０】
よって、白色ＬＥＤの発光波長特性の管理はもちろん、環境負荷も極めて大きくなる。このような問題点は、環境に優しい線状照明手段を得たいという背景と矛盾するものである。そのため、家庭用機器としては白色ＬＥＤを採用することが難しかった。
【００２１】
本発明は白色ＬＥＤ光源の色味のバラツキを良好に補正し、画像情報を高精度に読み取ることができる画像読取装置の提供を目的とする。
【課題を解決するための手段】
【００２２】
請求項１の発明の画像読取装置は、
青色光と、該青色光により励起した黄色光とを発する白色ＬＥＤ光源を用いて原稿台の上の被照射面を線状に照明する線状照明手段と、
該線状照明手段により照明された、該原稿台の上に載置した該被照射面の画像情報を結像する結像光学系と、
該結像光学系で結像した該被照射面の画像情報を読み取る光電変換素子と、
該光電変換素子で得られた信号を補正するための補正データを色補正テーブルとして記憶する記憶手段と、
該光電変換素子で得られた信号を、該記憶手段の色補正テーブルに記憶している補正データで補正してカラー画像データを得る画像形成手段と、
白色基準板と、
白色以外の色相を有する補助基準色板の、両基準板を該光電変換素子で読み取った信号を用いて、該色補正テーブルの補正データを補正する補正手段と、を有することを特徴としている。
【００２３】
請求項２の発明は請求項１の発明において、
前記線状照明手段は、前記白色ＬＥＤ光源を複数個と、これらの白色ＬＥＤ光源からの光のうち、異なる二つの方向から入射した光で前記被照射面を線状に照明するように光路を変換する光路変換部材と、を有することを特徴としている。
【００２４】
請求項３の発明は請求項２の発明において、
前記補助基準色板は、前記被照射面の読取幅の中央を基準に左右対称に設置されていることを特徴としている。
【００２５】
請求項４の発明は請求項１乃至３のいずれか１項の発明において、
前記色補正テーブルは、マスキング係数を収めた行列もしくはダイレクトマッピングテーブルであることを特徴としている。
【００２６】
請求項５の発明は請求項１乃至４のいずれか１項の発明において、
前記色補正テーブルの補正データは、読み取り方向の読み取り位置を変数とした関数を含んでいることを特徴としている。
【００２７】
請求項６の発明の画像読取装置の調整方法は、
青色光と、該青色光により励起した黄色光とを発する白色ＬＥＤ光源を用いて原稿台の上の被照射面を線状に照明する線状照明手段と、
該線状照明手段により照明された、該原稿台の上に載置した該被照射面の画像情報を結像する結像光学系と、
該結像光学系で結像した該被照射面の画像情報を読み取る光電変換素子と、
該光電変換素子で得られた信号を補正するための補正データを色補正テーブルとして記憶する記憶手段と、
該光電変換素子で得られた信号を、該記憶手段の色補正テーブルに記憶している補正データで補正してカラー画像データを得る画像形成手段と、
白色基準板と、
を有する画像読取装置において、
白色以外の色相を有する補助基準色チャートを設け、該白色基準板と、該補助基準色チャートを該光電変換素子で読み取った信号を用いて、補正手段で該色補正テーブルの補正データを補正することを特徴としている。
【００２８】
請求項７の発明は請求項６の発明において、
前記線状照明手段は、前記白色ＬＥＤ光源を複数個と、これらの白色ＬＥＤ光源からの光のうち、異なる二つの方向から入射した光で前記被照射面を線状に照明するように光路を変換する光路変換部材と、を有することを特徴としている。
【００２９】
請求項８の発明は請求項７の発明において、
前記補助基準色チャートは、副走査方向に複数の色相のパッチを有していることを特徴としている。
【００３０】
請求項９の発明は請求項６乃至８のいずれか１項の発明において、
前記色補正テーブルは、マスキング係数を収めた行列もしくはダイレクトマッピングテーブルであることを特徴としている。
【００３１】
請求項１０の発明は請求項６乃至９のいずれか１項の発明において、
前記色補正テーブルの補正データは、読み取り方向の読み取り位置を変数とした関数を含んでいることを特徴としている。
【発明の効果】
【００３２】
本発明によれば白色ＬＥＤ光源の色味のバラツキを良好に補正し、画像情報を高精度に読み取ることができる画像読取装置を達成することができる。
【発明を実施するための最良の形態】
【００３３】
以下、図面を用いて本発明の実施例を説明する。
【実施例１】
【００３４】
図１は本発明の実施例１のキャリッジ一体型走査方式の画像読取装置の要部概略図、図２は図１に示したキャリッジ一体型走査方式の読取光学系の要部概略図である。図３は図２に示した線状照明手段の要部概略図である。
【００３５】
図中、１は原稿台（原稿台ガラス）であり、その台上に被照射物としての原稿（カラー画像）１１が載置されている。２は圧板であり、原稿１１を押さえている。
【００３６】
３は副走査方向に移動可能なキャリッジ（筐体）であり、後述する各部材５，６，７，８を収納している。
【００３７】
４は白色基準板であり、主走査方向の画像読取幅以上の長さを有しており、原稿台１の上部に設けられている。
【００３８】
１０は補助基準色板であり、白色以外の色相を有し、画像読取方向に任意の幅を有しており、原稿台１の上部に設けられている。
【００３９】
尚、白色基準板４と補助基準色板１０を原稿台１の下部に設けても良い。
【００４０】
本実施例における補助基準色板１０は全面が均一濃度の青色で形成されている。尚、補助基準色板１０の全面は青色に限らず、黄色であっても良い。
【００４１】
５は線状照明手段であり、青色光と、青色光により励起した黄色光とを発する線状光源としての白色ＬＥＤ光源(以下、単に「白色ＬＥＤ」とも称す。）５１を用いて原稿台１の上の原稿面(原稿）１１を線状に照明している。
【００４２】
線状照明手段５は、白色ＬＥＤ５１を複数個と、これらの白色ＬＥＤ５１からの光のうち、異なる二つの方向から入射した光で原稿面１１を線状に照明するように光路を変換する後述する光路変換部材としての導光体１２とを有している。(請求項２）
本実施例における白色ＬＥＤ５１は、青色発光のＬＥＤの上に黄色の蛍光物質を塗布することにより白色光が得られる構成より成っており、図３に示すように左右両側(主走査方向の両側）にそれぞれ配置されている。尚、図３において、図面上、左側のＬＥＤを左白色ＬＥＤ５１Ｌ、右側を右白色ＬＥＤ５１Ｒと称す。
【００４３】
６は平面より成る反射ミラー（平面ミラー）であり、キャリッジ３内に複数枚設けられており、該キャリッジ３内で光路を折り曲げている。
【００４４】
７は結像光学系（結像レンズ）であり、線状照明手段５により照明された、原稿１１の画像情報に基づく光束を後述する読取手段８上に結像させている。
【００４５】
８は読取手段としての光電変換素子（ＣＣＤ）であり、結像光学系７で結像した画像を一方向（主走査方向）に読み取っている。９は駆動装置(副走査モータ）であり、キャリッジ３を副走査方向Ａに駆動している。
【００４６】
１２は光路変換部であり、導光体より成っており、左右の白色ＬＥＤ５１Ｌ，５１Ｒから放射された光束を拡散反射させて、画像読取領域に導光している。
【００４７】
１３は補正手段であり、白色基準板４と補助基準色板１０の、両基準板４，１０を光電変換素子８で読み取った信号を用いて、色補正テーブルの補正データを補正している。(請求項１）
１４は記憶手段(記憶装置）であり、光電変換素子８で得られた信号を補正するための補正データを色補正テーブルとして記憶している。ここで色補正テーブルとは、マスキング係数を収めた行列もしくはダイレクトマッピングテーブルである。(請求項４）
上記マスキング係数とは、特開平１−１９４６７５号公報に開示されているように入力されるＲ（赤）Ｇ（緑）Ｂ（青）の信号に対して掛け合わせる３×３以上の行列式のことである。またダイレクトマッピングテーブルとは、特開２０００−２６１６８３号公報に開示されているように入力された色味情報と出力する色味情報の対応付けを行うテーブルである。
【００４８】
１５は画像形成手段であり、光電変換素子８で得られた信号を、記憶手段１４の色補正テーブルに記憶している補正データで補正してカラー画像データを得ている。
【００４９】
ここで光電変換素子８の素子（センサー）の並び方向（紙面と垂直方向）が主走査方向、それに直交する方向（紙面内方向）が副走査方向である。
【００５０】
本実施例において左右の白色ＬＥＤ５１Ｌ，５１Ｒから放射された照明光は導光体１２を介して原稿台１の上に載置した原稿１１を照明している。該原稿１１からの反射光束は複数の反射ミラー６を介してキャリッジ３内部でその光路が折り曲げられている。そして折り曲げられた光束は結像レンズ（結像光学系）７により光電変換素子（ラインセンサー）８面上に結像されている。そしてキャリッジ３を駆動モーター９により図２に示す矢印Ａ方向（副走査方向）に移動させることにより原稿１１の２次元画像情報を線順次読取方式で読み取っている。読取られた画像情報は図示しないインターフェイスを通じて外部機器であるパーソナルコンピューターなどに送られる。
【００５１】
図４は本発明の実施例１の線状照明手段５による被照射面上における光量分布を示す図である。
【００５２】
同図において横軸ｘは原稿照射（主走査方向）位置、横軸ｙは光量である。破線は左白色ＬＥＤ５１Ｌの光量分布であり、ｙ＝Ｌ（ｘ）で表される。一点鎖線は右白色ＬＥＤ５１Ｒの光量分布であり、ｙ＝Ｒ（ｘ）で表される。
【００５３】
本実施例における線状照明手段は図４に示すように左白色ＬＥＤ５１Ｌと右白色ＬＥＤで色味が異なる。これは青色ＬＥＤの上に塗布される黄色の蛍光物質の量を一定にすることが工程上、難しいためである。このような場合、左右の白色ＬＥＤ５１Ｌ，５１Ｒは青色と黄色の比率が異なる。
【００５４】
次に本発明の実施例１の画像読取装置の動作について図５のフローチャートを用いて説明する。
【００５５】
まず使用者が原稿台１上に読み取りたい原稿を置き、圧板２を閉じた後に、スタートボタン等を押すことで、画像読取装置の動作を指示する。そうすると、まず画像読取装置はキャリッジ３が白色基準板４の下に移動し、その白色基準板４を線状照明手段５から放射された光で照射し、その反射光を光電変換素子８で読み取り、シェーディング補正値を算出する。
【００５６】
次に補助基準色板１０の下にキャリッジ３が移動し、その補助基準色板１０を線状照明手段５から放射された光で照射し、その反射光を光電変換素子８で読み取り、色補正テーブルを算出する。
【００５７】
補助基準色板１０の色が本実施例のように青色で形成されている場合は、白色ＬＥＤ５１の青色波長成分の比率が白色基準板に比べて明確に検知することができ、白色ＬＥＤ５１の有する色味特性を推定することが可能となる。
【００５８】
この結果を用いて、左右の白色ＬＥＤ５１Ｌ，５１Ｒについての色補正テーブルTableＬ、TableＲを算出し、規定の白色ＬＥＤの光量分布Ｌ(x)、Ｒ(x)を用いて下記に示す式(1)により色補正テーブルを算出することができる。
【００５９】
〔Table〕=〔Table_L〕L(x)+〔Table_R〕R(x)      ‥‥(1)
上記式(1)を演算することで全面の色味が安定した最終画像を得ることができる。
【００６０】
ここで式(1)において、Table_Lとは図３の左白色ＬＥＤ５１Ｌを発光させたときに光電変換素子８上における色に関する特性値(色特性値）である。L(x)は画像の読取り方向（ｘ方向）の位置ｘを変数とした関数である。
【００６１】
またTable_Rとは図３の右白色ＬＥＤ５１Ｒを発光させたときに光電変換素子８上における色に関する特性値(色特性値）である。R(x)は画像の読取り方向（ｘ方向）の位置ｘを変数とした関数である。
【００６２】
そこで、読み取った画像が全面均一となるようにシェーディング補正値が算出される。次いで原稿画像を読み取り、シェーディング補正に加えて上記色補正テーブルを用いた色味補正を行い、最終画像を作成し、読み取り動作が終了する。
【００６３】
図６は本発明の実施例１の回路構成の要点を示すブロック図である。
【００６４】
図６において、光電変換素子２１からの信号はアンプ２２で増幅され、Ａ／Ｄ変換部２３でＡ／Ｄ変換され、シェーディング補正部２４に入力する。シェーディング補正部２４はシェーディング補正計算を実行するシェーディング補正実行部２６とその補正データを記憶するシェーディングデータ記憶部２５を具備する。続く色補正部３１では、色補正計算を実行する色補正デーブル計算実行部３３と、同じく記憶する色補正デーブル記憶部３２を具備する。シェーディングと色補正された信号はその他の処理を行う画像処理部２７を経て外部Ｉ／Ｆ２８に入力する。
【００６５】
このように本実施例では上述した如く補正手段１３により白色基準板４と補助基準色板１０の、両基準板を光電変換素子８で読み取った信号を用いて、色補正テーブルの補正データを補正することにより、色味のバラツキを補正している。これにより発光波長特性管理をしていない白色ＬＥＤを複数個使用しても、色味が安定した、比較的、簡単な構成の画像読取装置が実現できる。
【００６６】
本実施例における補助基準色板１０は、製品(画像読取装置）として必要とする色を設定するのが良い。本実施例では青色もしくは黄色の補助基準色板とすることで、白色基準板４と合わせて白色ＬＥＤ５１の発光する青と黄の比率を導くことができるから、それに基づいて色味のバラツキが補正できる。
【００６７】
また本実施例における色補正テーブルの補正データは、読取方向の読取位置を変数とした関数を含んでいることにより、異なる二つの方向から入射した光が夫々発光特性に差異を持っていたとしても原稿照射位置における混合比率を考慮し、適切な色補正ができる。
【００６８】
また本実施例では、上述した如く異なる二つの方向から入射した光で被照射面１１を線状に照明するように光路を変換する光路変換部材(導光体）１２を設けたことにより、少ない構成部品で、かつ小型の線状照明手段を実現している。
【実施例２】
【００６９】
図７は本発明の実施例２のキャリッジ一体型走査方式の画像読取装置の調整方法の要部概略図である。図８は本発明の実施例２の補助基準色チャートの構成を示す図である。図７、図８において図１に示した要素と同一要素には同符番を付している。
【００７０】
図中、７１は補助基準色チャートであり、図８に示すように、画像読取方向(主走査方向）に任意の幅を有しており、副走査方向に複数の色相（青色、黄色、赤色、橙色、緑色）のパッチを１枚に収めている。
【００７１】
尚、複数の色相は上記に示した色相（青色、黄色、赤色、橙色、緑色）に限定されることはない。
【００７２】
本実施例においては、製品(画像読取装置）を組み立る工程において、原稿台１の上に補助基準色チャート７１を載置し、該補助基準色チャート７１の青色、黄色、赤色、橙色、緑色の複数のパッチを光電変換素子８で読み取る。次いで光電変換素子８で読み取った信号を用いて、補正手段１２により色補正テーブルの補正データを補正する。次いで補正手段１２で補正した色補正テーブルの補正データを不揮発性メモリー(記憶手段）に記録して出荷する。
【００７３】
本実施例において、青色パッチを読み取ることは、実施例１で説明した白色ＬＥＤの色味を判定するためである。黄色のパッチを読み取ることは、前記と同じ効果があり、測定精度をより良くし、左右それぞれの白色ＬＥＤの色補正テーブルも精度が向上する。
【００７４】
白色ＬＥＤは主たる波長が青色と黄色のため、赤色、橙色、緑色などの読取画像が実際の色と差が生じる場合がある。そのような現象の対策として、本実施例ではこれらの色のパッチを読み取り、色補正テーブルを前述した式(1)と同様な式により補正している。
【００７５】
これにより発光波長特性管理をしていない白色ＬＥＤを複数個使用しても、色味が安定し、色再現性が特に良好なる画像読取装置を実現することができる。
【００７６】
本実施例では製品を組み立てる工程で特別の作業が必要となるが、製品としての動作は図９のフローチャートに示すようになり、これは前記図１４に示した従来の製品の動作と同じフローとなる。これにより、本実施例では動作に要する時間や電力を軽減できるという利点もある。
【００７７】
尚、本実施例の回路ブロックは前述の実施例１で説明した図６の構成と同一である。
【実施例３】
【００７８】
前記実施例１で説明した実施形態は画像読取装置自体が補正機能を有しているため、なんらかの経年劣化によっても安定した画像を得られる。一方、実施例２では色再現性が良い。実施例３では、両実施例の長所を取り入れている。
【００７９】
図１０は本発明の実施例３のキャリッジ一体型走査方式の画像読取装置の要部概略である。図１０において図１に示した要素と同一要素には同符番を付している。
【００８０】
本実施例において前述の実施例１と異なる点は、補助基準色板２０を原稿読取幅の中央を基準に左右対称に３分割に分割して設置したことである。その他の構成及び光学的作用は実施例１と同様であり、これにより同様な効果を得ている。
【００８１】
つまり図１０において、２０は補助基準色板であり、該補助基準色板２０を、原稿読取幅の中央を基準に左右対称に設置し、中央の補助基準色板２０Ｃに赤色、左右の補助基準色板２０Ｌ，２０Ｒに青色を配色している。
【００８２】
本実施例では、補助基準色板２０を３分割に分割して設置することにより、異なる二つの方向から入射した光がそれぞれ発光特性に差異を持っていたとしても、平均的な色味の補正が行える。
【００８３】
次に本発明の実施例３の画像読取装置の動作について図１１のフローチャートを用いて説明する。
【００８４】
まず使用者が 原稿台１上に読み取りたい原稿を置く時点から、白色基準板４の反射光を読み取るまでは実施例１と同じである。また左右に配置されている青色の補助基準色板１０Ｌ，１０Ｒを読み取った結果から、左右の白色ＬＥＤ５１Ｌ，５１Ｒの色補正テーブルを下記の式(1)より算出することができるのも実施例１と同じである。
【００８５】
〔Table〕=（〔Table_L〕L(x)+〔Table_R〕R(x)）      ‥‥(1)
本実施例では中央の赤色の補助基準板１０Ｃを読み取ることで、前述の実施例２で説明したように色再現性を、さらに向上させている。
【００８６】
尚、本実施例の回路ブロックは前述の実施例１で説明した図６の構成と同一である。
【００８７】
これにより発光波長特性管理をしていない白色ＬＥＤを複数個使用しても、色味が安定し、色再現性が良好なる画像読取装置を実現することができる。
【００８８】
尚、本実施例では中央の補助基準色板２０Ｃに赤色、左右の補助基準色板２０Ｌ，２０Ｒに青色を配色したが、これに限定されることはなく、左右の補助基準色板２０Ｌ，２０Ｒに黄色を配色しても良い。
【００８９】
また各実施例１、２、３では一体型（フラットベッド型）の画像読取装置に本発明を適用したが、これに限らず、例えば１：２走査光学系を有する画像読取装置に適用しても本発明は上述の実施例と同様に適用することができる。
【図面の簡単な説明】
【００９０】
【図１】本発明の実施例１の画像読取装置の要部斜視図
【図２】本発明の実施例１のキャリッジの構成を示す図
【図３】本発明の実施例１の線状照明手段の構成を示す図
【図４】本発明の実施例１の線状照明手段の光量分布を示す図
【図５】本発明の実施例１の画像読取動作を示すフローチャート
【図６】本発明の実施例１の回路構成を示すブロック図
【図７】本発明の実施例２の画像読取装置の要部斜視図
【図８】本発明の実施例２の補助基準色チャートの構成を示す図
【図９】本発明の実施例２の画像読取動作を示すフローチャート
【図１０】本発明の実施例３の画像読取装置の要部斜視図
【図１１】本発明の実施例３の画像読取動作を示すフローチャート
【図１２】従来の画像読取装置の要部斜視図
【図１３】従来のキャリッジの構成を示す図
【図１４】従来の画像読取動作を示すフローチャート
【図１５】従来の画像読取装置の回路構成を示すブロック図
【符号の説明】
【００９１】
１        原稿台
２  圧板
３  キャリッジ
４  白色基準板
５  線状照明手段
６  反射ミラー
７  結像光学系
８  光電変換素子
９  駆動装置
１０  補助基準色板
１１  原稿
１２  導光体
１３  補正手段
１４  記憶手段
１５  画像形成手段
５１  線状光源（白色ＬＥＤ）
【図２】
2008263510.tif 000003
【図１】
2008263510.tif 000004
【図３】
2008263510.tif 000005
【図４】
2008263510.tif 000006
【図５】
2008263510.tif 000007
【図６】
2008263510.tif 000008
【図７】
2008263510.tif 000009
【図８】
2008263510.tif 000010
【図９】
2008263510.tif 000011
【図１０】
2008263510.tif 000012
【図１１】
2008263510.tif 000013
【図１２】
2008263510.tif 000014
【図１３】
2008263510.tif 000015
【図１４】
2008263510.tif 000016
【図１５】
2008263510.tif 000017